(57)【要約】  開示されるのは、キャップ部（１０４）、第１および第２のウェブ部（１０８ａ、１０８ｂ）、第１および第２の足部（１０６ａ、１０６ｂ）、および内部ラップ部（１１０）を有する平織りされた織地を形成するよう、織り合わせた縦繊維および横繊維の複数の層を平織りすることによって、３Ｄ織物のオメガ形状補強材（１００）を形成する方法である。少なくともいくつかの横繊維が、ウェブ部と足部との間の接合部にわたって連続するよう、３Ｄ織物織地は織られる。次に平織りされた織地は、オメガ形状に形成される。【選択図】図１
2020537058.tif 000002
【特許請求の範囲】
【請求項１】
３Ｄ織物補強材を形成する方法であって、
織り合わされた縦繊維および横繊維の複数の層を、平織りするステップと、
前記層のうちのいくつかの部分を他の層と織り合わせ、キャップ部、第１のウェブ部および第２のウェブ部、第１の足部および第２の足部、ならびに内部ラップ部を有する、平織りされた織地にするステップと、
内部空間を有するオメガ形状補強材を形成するように前記平織りされた織地を形成するステップと
を含み、
少なくともいくつかの前記横繊維は、前記ウェブ部と前記足部との間の接合部にわたって連続する、方法。
【請求項２】
請求項１に記載の方法において、前記補強材の前記内部空間は閉じられている、方法。
【請求項３】
請求項２の方法において、前記層のうちのいくつかの部分を他の層と織り合わせるステップは、前記キャップ部に、互いに対して折られた２つのキャップ領域を持たせ、かつ前記内部ラップ部に、互いに対して折られた２つの内部ラップ領域を持たせるステップを含む、方法。
【請求項４】
請求項３に記載の方法において、前記２つのキャップ領域が実質的に同一直線上になるよう、前記キャップ領域を展開し、かつ前記内部ラップ領域が実質的に同一直線上になるよう、前記２つの内部ラップ領域を展開するステップを含む、方法。
【請求項５】
請求項４に記載の方法において、前記キャップ部は、前記ウェブ部よりも厚く、前記ウェブ部は前記足部よりも厚い、方法。
【請求項６】
請求項４に記載の方法において、前記オメガ形状補強材にマトリックス材を詰めるステップを含む、方法。
【請求項７】
請求項２の方法において、前記層のうちのいくつかの部分を他の層と織り合わせるステップは、前記第１のウェブ部に、互いに対して折られた２つの第１のウェブ領域を持たせ、かつ前記第２のウェブ部に、互いに対して折られた２つの第２のウェブ領域を持たせるステップを含む、方法。
【請求項８】
請求項７に記載の方法において、前記第１のウェブ部の前記第１のウェブ領域が実質的に同一直線上になるよう、前記第１のウェブ部の前記第１のウェブ領域を展開するステップと、
前記第２のウェブ部の前記第２のウェブ領域が実質的に同一直線上になるよう、前記第２のウェブ部の前記第２のウェブ領域を展開するステップと
を含む、方法。
【請求項９】
請求項８に記載の方法において、前記キャップ部は、前記ウェブ部よりも厚く、前記ウェブ部は前記足部よりも厚い、方法。
【請求項１０】
請求項８に記載の方法において、前記オメガ形状補強材にマトリックス材を詰めるステップを含む、方法。
【請求項１１】
請求項２に記載の方法において、前記層のいくつかの部分を他の層と織り合わせるステップは、前記キャップ部に第１のキャップ領域および第２のキャップ領域を持たせるステップを含み、前記キャップ領域の各々は、前記キャップ部の所望の厚さ未満の厚さを有し、
前記第１のキャップ領域は、前記第１のウェブ部に織られ、前記第２のキャップ領域は前記第２のウェブ領域に織られ、前記第１および第２のキャップ領域は、互いから離隔される、方法。
【請求項１２】
請求項１１に記載の方法において、前記第１のキャップ領域が前記第２のキャップ領域の上に直接置かれて前記織物補強材の前記キャップ部を形成するよう、前記第１のキャップ領域を伴う前記第１のウェブ部を形成するステップ、および前記第２のキャップ領域を伴う前記第２のウェブ部を形成するステップを含む、方法。
【請求項１３】
請求項１２に記載の方法において、前記キャップ部は、前記ウェブ部よりも厚く、前記ウェブ部は前記足部よりも厚い、方法。
【請求項１４】
請求項１２に記載の方法において、前記オメガ形状補強材にマトリックス材を詰めるステップを含む、方法。
【請求項１５】
請求項１に記載の方法において、前記補強材の前記内部空間は開かれている、方法。
【請求項１６】
請求項１５に記載の方法において、前記内部ラップ部は、前記第１のウェブ部と、前記キャップ部と、前記第２のウェブ部とによって互いに離隔された、第１の内部ラップ領域および第２のラップ領域の中に織られる、方法。
【請求項１７】
請求項１６に記載の方法において、第１の内部ラップ領域および第２の内部ラップ領域を、実質的に同一直線上になるよう、かつ間隙によって互いに離隔されるよう形成するステップを含む、方法。
【請求項１８】
請求項１７に記載の方法において、前記キャップ部は、前記ウェブ部よりも厚く、前記ウェブ部は前記足部よりも厚い、方法。
【請求項１９】
請求項１８に記載の方法において、前記オメガ形状補強材にマトリックス材を詰めるステップを含む、方法。
【請求項２０】
請求項１５に記載の方法において、前記内部ラップ部は、第１の内部ラップ領域と、隣接する第２の内部ラップ領域とを有する、方法。
【請求項２１】
請求項２０に記載の方法であって、
第１の内部ラップ領域および第２の内部ラップ領域を、実質的に同一直線上になるよう形成するステップと、
前記第１および第２の内部ラップ領域の一部を切断して、前記第１の内部ラップ領域と前記第２の内部ラップ領域との間に間隙を形成するステップと
を含む、方法。
【請求項２２】
請求項２１に記載の方法において、前記キャップ部は、前記ウェブ部よりも厚く、前記ウェブ部は前記足部よりも厚い、方法。
【請求項２３】
請求項２２に記載の方法において、前記オメガ形状補強材にマトリックス材を詰めるステップを含む、方法。
【請求項２４】
３Ｄ織物補強材であって、
織り合わされた縦繊維および横繊維の複数の層を備え、
前記層のいくつかは、キャップ部、第１のウェブ部および第２のウェブ部、第１の足部および第２の足部、ならびに内部ラップ部を有する平織りされた織地になるように、他の層と織り合わされおり、
少なくともいくつかの前記横繊維は、前記ウェブ部と前記足部との間の接合部にわたって連続する、補強材。
【請求項２５】
請求項２４に記載の補強材において、内部空間は閉じられている、補強材。
【請求項２６】
請求項２４に記載の補強材において、内部空間は開かれている、補強材。
【発明の詳細な説明】
【技術分野】
【０００１】
本開示は、三次元織物プリフォーム、およびその製造方法に関する。特に、織物プリフォームは実質的に平面のパネルの補強材として使用され得る。
【背景技術】
【０００２】
構造用構成材を生成するための、補強された複合材料の使用は現在、特に、軽量性、強度、耐久性、熱抵抗性、自立性、ならびに形成および形付けるための適応性において、望ましい特性が求められる用途に広く普及している。このような構成材は、例えば航空、航空宇宙、衛星、娯楽（レーシングボートおよびレーシングカーなど）、および他の用途に使用される。
【０００３】
通常、このような構成材は、マトリックス材に埋め込まれた補強材から成る。補強構成材は、ガラス、炭素、セラミック、アラミド、ポリエチレン、ならびに／または、所望の物理特性、熱特性、化学特性、および／もしくは応力破壊に対する大きい強度を含む他の特性を呈する、他の材料から作られ得る。最終的には完成した構成材の組成要素となる、このような補強材の使用を介して、非常に高い強度などの補強材にとって望ましい特性は、完成した複合構成材に与えられる。通常、組成補強材は、補強プリフォームのための所望の構成および形状に、織られるか、編まれるか、または方向付けられ得る。一般に、組成補強材が選択されるための特性を、確実に最適に利用することに特に注意が払われる。一般に、このような補強プリフォームは、マトリックス材と組み合わされて所望の完成構成材を形成するか、または完成構成材を最終的に製作するための通常在庫を生成する。
【０００４】
所望の補強プリフォームが構築された後、マトリックス材がプリフォームの中に導入されてよく、通常はそれによって補強プリフォームはマトリックス材の中に包まれ、マトリックス材は、補強プリフォームの組成要素の間の隙間領域を満たす。マトリックス材は、エポキシ、ポリエステル、ビスマレイミド、ビニルエステル、セラミック、炭素、ならびに／または、やはり所望の物理特性、熱特性、化学特性、および／もしくは他の特性を呈する他の材料など、広く様々な任意の材料とすることができる。
【０００５】
マトリックスとして使用するために選択した材料は、補強プリフォームの材料と同じであってもよく、または同じでなくてもよく、同等の物理特性、化学特性、熱特性、もしくは他の特性を有してもよく、または有しなくてもよい。しかし通常、それらは同じ材料ではなく、または同等の物理特性、化学特性、熱特性、もしくは他の特性を有さない。なぜなら、複合材料の使用で求められる一般的な目的の第１番目は、１つの組成材のみの使用では得られない特性の組合せを、最終製品に実現することだからである。そのように組み合わせることで、補強プリフォームおよびマトリックス材は、熱硬化または他の公知の方法によって同じ工程で硬化かつ安定化され、次に所望の構成材を生成するための他の工程にかけられる。硬化後に、マトリックス材の凝固した塊は、一般に補強材（例えば補強プリフォーム）に強く接着することに留意することは重要である。その結果、最終構成材における応力は、特に繊維間の接着剤として作用するマトリックス材を通して、補強プリフォームの組成材に効果的に伝えられ、かつ支えられる。
【０００６】
比較的平坦な複合パネルは、航空機、航空宇宙産業、自動車、および土木構造物を含む、多くの産業での使用が見出される。いくつかの場合、パネルは、構造物が損傷または不要の変形を避ける助けとなる、さらなる剛性を必要とし得る。例えば、機体などの航空機の部分は、通常外側パネルおよび内側パネルを含むパネルから作られる構造である。この外側パネルおよび内側パネルは、互いから離隔され、それらの間にチャネルを形成する。これらのパネルは、パネル間のチャネル内に配設された補強用のフレームまたは補強材によって、機体の内側で補強される。補強用の補強材は、機体セクションの外側パネルに沿って位置付けられ、機体面の長手方向軸に対して実質的に垂直である。補強材は、機体パネルの内側で支持され、それによって外部から加えられる力による外側の機体パネルの変形を軽減させる。
【発明の概要】
【課題を解決するための手段】
【０００７】
３Ｄ織物補強材を形成する方法は、織り合わされた縦繊維および横繊維の複数の層を平織りすることと、層のいくつかの部分を他の層と織り合わせ、キャップ部、第１および第２のウェブ部、第１および第２の足部、ならびに内部ラップ部を有する平織りされた織地にすることと、内部空間を有するオメガ形状補強材を形成するように平織りされた織地を形成する／形付けることと、を含む。横繊維の少なくともいくつかは、ウェブ部と足部との間の接合部にわたって連続する。
【０００８】
いくつかの実施形態において、補強材の内部空間は閉じられている。
【０００９】
閉じられた内部空間を有する実施形態において、層のいくつかの部分を他の層を織り合わせることは、キャップ部に、互いに対して折られた２つのキャップ領域を持たせ、内部ラップ部に、互いに対して折られた２つの内部ラップ領域を持たせることを含む。これらのキャップ領域は、２つのキャップ領域が実質的に同一直線上となるよう折ることができ、２つの内部ラップ領域が実質的に同一線上となるよう展開することができる。
【００１０】
閉じられた内部空間を有する別の実施形態において、層のいくつかの部分を他の層と織り合わせることは、第１のウェブ部および第２のウェブ部に、互いに対して折られたそれぞれ２つのウェブ領域を持たせることを含む。第１のウェブ部の第１のウェブ領域は、第１のウェブ部の第１のウェブ領域が実質的に同一直線上となるよう展開することができる。第２のウェブ部の第２のウェブ領域は、第２のウェブ部の第２のウェブ領域が実質的に同一直線上となるよう展開することができる。
【００１１】
閉じられた内部空間を有する別の実施形態において、層のいくつかの部分を他の層と織り合わせることは、キャップ部に第１のキャップ領域および第２のキャップ領域を持たせることを含む。キャップ領域の各々は、キャップ部の所望の厚さ未満の厚さを有する。第１のキャップ領域は、第１のウェブ部に織られ、第２のキャップ領域は第２のウェブ領域に織られ、第１および第２のキャップ領域は、互いから離隔される。第１のキャップ領域を伴う第１のウェブ部、および第２のキャップ領域を伴う第２のウェブ部は、第１のキャップ領域が第２のキャップ領域の上に置かれて織物補強材のキャップ部を形成するよう、形成することができる。
【００１２】
いくつかの実施形態において、補強材の内部空間は開かれている。
【００１３】
開かれた内部空間を有する実施形態において、内部ラップ部は、第１のウェブ部と、キャップ部と、第２のウェブ部とによって互いに離隔された、第１の内部ラップ領域および第２の内部ラップ領域の中に織られる。第１の内部ラップ領域および第２の内部ラップ領域は、実質的に同一直線上に、かつ間隙によって互いから離隔させて形成することができる。
【００１４】
開かれた内部空間を有する別の実施形態において、内部ラップ部は、第１の内部ラップ領域、および隣接する第２の内部ラップ領域を有する。第１の内部ラップ領域および第２の内部ラップ領域は、実質的に同一直線上に形成することができ、第１の内部ラップ領域と第２の内部ラップ領域との間に間隙を形成する。方法は、第１および第２の内部ラップ領域の一部を切断することを含む。
【００１５】
任意の実施形態において、キャップ部は、ウェブ部よりも厚くてよく、ウェブ部は足部よりも厚くてよい。
【００１６】
任意の実施形態において、オメガ形状補強材には、マトリックス材を詰める／含侵することができる。
【００１７】
３Ｄ織物補強材は、織り合わされた縦繊維および横繊維の複数の層を有する。層のいくつかは、キャップ部、第１および第２のウェブ部、第１および第２の足部、ならびに内部ラップ部を有する、平織り織地になるように、他の層と織り合わされている。横繊維の少なくともいくつかは、ウェブ部と足部との間の接合部にわたって連続する。補強材の内部空間は、閉じる、または開くことができる。キャップ部はウェブ部よりも厚く、ウェブ部は足部よりも厚くてよい。３Ｄ織物補強材には、マトリックス材を詰めることができる。
【００１８】
本発明のさらなる理解を提供するために含まれた添付の図は、本明細書に組み込まれ、本明細書の一部を構成する。本明細書で提示する図は、本発明の種々の実施形態を例示し、記述と共に本発明の原理を説明する役割を担う。
【図面の簡単な説明】
【００１９】
【図１】オメガ形状補強材を示す図である。
【図２】実質的に平行な２枚のパネルの間で補強支持をもたらす、オメガ形状補強材の例示的な使用を示す図である。
【図３Ａ】織られた状態のオメガ形状プリフォームの第１の実施形態を示す図である。
【図３Ｂ】折った後で形付けられた状態の、図３Ａのオメガ形状プリフォームを示す図である。
【図４Ａ】織られた状態のオメガ形状プリフォームの第２の実施形態を示す図である。
【図４Ｂ】折った後で形付けられた状態の、図４Ａのオメガ形状プリフォームを示す図である。
【図５Ａ】織られた状態のオメガ形状プリフォームの第３の実施形態を示す図である。
【図５Ｂ】折った後で形付けられた状態の、図５Ａのオメガ形状プリフォームを示す図である。
【図６Ａ】織られた状態のオメガ形状プリフォームの第４の実施形態を示す図である。
【図６Ｂ】折った後で形付けられた状態の、図６Ａのオメガ形状プリフォームを示す図である。
【図７Ａ】織られた状態のオメガ形状プリフォームの第５の実施形態を示す図である。
【図７Ｂ】折った後で形付けられた状態の、図７Ａのオメガ形状プリフォームを示す図である。
【発明を実施するための形態】
【００２０】
本開示の用語「備えている（ｃｏｍｐｒｉｓｉｎｇ）」および「備える（ｃｏｍｐｒｉｓｅ）」は、「含んでいる（ｉｎｃｌｕｄｉｎｇ）」もしくは「含む（ｉｎｃｌｕｄｅ）」を意味することができ、または米国特許法における用語「備える」または「備えている」に通常与えられる意味を有する。特許請求の範囲で使用される場合、用語「〜から本質的に成っている（ｃｏｎｓｉｓｔｉｎｇ  ｅｓｓｅｎｔｉａｌｌｙ  ｏｆ）」または「〜から本質的に成る（ｃｏｎｓｉｓｔ  ｅｓｓｅｎｔｉａｌｌｙ  ｏｆ）」は、米国特許法においてそれらに帰する意味を有する。本発明の他の態様は、以下の開示で説明され、または以下の開示から（および本発明の範囲内で）明確となる。
【００２１】
用語「繊条（ｔｈｒｅａｄ）」、「繊維（ｆｉｂｅｒ）」、「撚り糸（ｔｏｗ）」、および「紡ぎ糸（ｙａｒｎ）」は、以下の説明において互換可能に使用される。本明細書で使用される「繊条」、「繊維」、「撚り糸」、および「紡ぎ糸」は、モノフィラメント、マルチフィラメント紡ぎ糸、撚り糸、マルチフィラメント撚り糸、テクスチャード紡ぎ糸、網状撚り糸、コーティングされた紡ぎ糸、バイコンポーネント紡ぎ糸、ならびに当業者に知られた任意の材料の牽切繊維から作られた紡ぎ糸を指すことができる。紡ぎ糸は、炭素、ナイロン、レイヨン、繊維ガラス、綿、セラミック、アラミド、ポリエステル、金属、ポリエチレンガラス、および／または所望の物理特性、熱特性、化学特性、もしくは他の特性を呈する他の材料から作られ得る。
【００２２】
用語「折られた（ｆｏｌｄｅｄ）」は、本明細書では広義に使用され、「形成する（ｆｏｒｍｉｎｇ）」を意味し、展開する、曲げる、および織られた織地の形状を扱うための他の用語を含む。
【００２３】
本発明、その利点、および使用によって得られる目的をより良好に理解するため、添付の記述を参照する。そこにおいて、非限定の本発明の実施形態が、添付の図に示され、対応する構成材は同じ参照番号で識別される。
【００２４】
上述のように、パネルが損傷または不要の変形を避ける助けとなる、さらなる剛性を伴う実質的に平面のパネルを提供することが望まれ得る。このパネルは曲率も有し得る。そうすることで、補強部材は、パネルの所望の箇所を支持するために追加され得る。
【００２５】
補強材１００の一般的な断面形状が図１に示され、少なくとも１枚の外表面またはパネル１０２に取り付けられて示される。補強材１００は、「ハット補強材」または「オメガ形状補強材」とも称され得る。これらの用語は、本明細書では互換可能に使用される。補強材１００は、キャップ部１０４、足部１０６ａ、１０６ｂ、ウェブ部１０８ａ、１０８ｂ、および内部ラップ部１１０を含む。内部ラップ部１１０は、図１では連続的に示されるが、代替として不連続であり得る。すなわち、内部ラップ部は、例えば図５Ｂに示されるように間隙を有し得る。キャップ部１０４は、ウェブ部１０８ａ、１０８ｂによって、足部１０６ａ、１０６ｂおよび内部ラップ部に連結される。
【００２６】
オメガ形状補強材の剛性は、ウェブ部１０８ａ、１０８ｂ、およびキャップ部１０４によってもたらされる。オメガ形状補強材のさらなる剛性は、足部１０６ａ、１０６ｂ、およびウェブ部１０８ａ、１０８ｂよりも厚いキャップ部１０４によってもたらすことができる。ウェブ部１０８ａ、１０８ｂは、足部１０６ａ、１０６ｂよりも厚くてよい。
【００２７】
「オメガ形状補強材のフランジ」は、足部１０６ａ、１０６ｂ、および任意選択で内部ラップ部１１０を含む、オメガ形状補強材の部分を意味する。キャップ部、ウェブ部、および内部ラップ部が、全ての辺（側部）で閉じられた補強材の内部空間１１２を形成する場合、オメガ形状補強材は「閉じられている」と定義される。キャップ部、ウェブ部、および内部ラップ部によって形成された補強材の内部空間１１２において、全ての辺（側部）が閉じられてはいない場合、オメガ形状補強材は「開かれている」と定義される。例えば、図５Ｂは、内部ラップ部に間隙がある、補強材の開かれた内部空間を示す。
【００２８】
オメガ形状補強材は、そのフランジが接合または当業者に知られている他の装着技術によって外表面に接着され得る場合、外表面から独立して製作することができる。代替として、オメガ形状補強材は、１つまたは複数の外表面と同時に製作されるか、織られるか、または共に形付けられ得る。それによってオメガ形状補強材および外表面は、共通の補強されたアセンブリの一部となる。本明細書は、任意の外表面から独立して自立したオメガ形状補強材を製作するための技術を説明する。
【００２９】
オメガ形状補強材は、従来技術の一定方向または織地のプリプレグ層を使用して製作され得る。この製作方法は、補強材の交差接合部にわたる連続的な繊維を有さない。これらの製作技術は、大きな労働力を要し、キャップ部とウェブ部との交差部、ならびにウェブ部および足部においても、薄片に裂けやすい。本開示は、これらの課題に対して、プリプレグの外表面と共に使用するために注入されてＢステージ化（すなわち部分的に硬化）されるか、または乾燥織地の外表面を伴う乾燥状態から複数プレフォームに共に注入された三次元（３Ｄ）織物プリフォームを使用することを対象とする。
【００３０】
図２は、表面に補強支持をもたらすために、オメガ形状補強材を利用した例示的な構造を示す。オメガ形状補強材２１０ａ〜２１０ｅは、パネル２２２上に位置される。オメガ形状補強材は、表面２２０を支持するために使用され得る。しかし１つの例において、表面２２０は飛行機の機体の外側表面、または変形に対する抵抗が望まれる他の表面である。パネル２２２および表面２２０は、互いに実質的に平行に示されるが、それは必要な要件ではない。さらに、図２において５つのオメガ形状補強材が示されるが、補強材の用途によって必要に応じて、任意の数が使用され得る。オメガ形状補強材２１０ａの足部２０６ａ、２０６ｂを、パネル２２２に接着または装着させることができる。任意選択で、内部ラップ部２１０を、パネル２２２に接着または装着させることができる。同様の方法で、残りのオメガ形状補強材２１０ｂ〜２１０ｅが、パネル２２２に取り付けられる。次いで表面２２０は、オメガ形状補強材２１０ａ〜２１０ｅのキャップ部２０４ａ〜２０４ｅ上で支持される。キャップ部２０４ａ〜２０４ｅも、当業者に知られている任意の方法を介して、表面２２０に接着され得る。オメガ形状補強材は、表面２２０に加えられた力Ｆをパネル２２２に伝えることができ、それによって力による変形に対する表面２２０の抵抗を助ける。さらに、パネル２２２と表面２２０との間のオメガ形状補強材の剛性および量は、加えられた力による変形に対する、表面２２０の抵抗を強化する。この用途におけるオメガ形状補強材の使用は、表面２２０の変形を軽減させるために必要な材料の重量を低減させ、いくつかの事例において、構造にわたって断熱および防音を提供することができる。
【００３１】
複合材料のための多層織物プリフォームのオメガ形状補強材は、平織りにされ、縦繊維の層における層と層との間の噛み合い、ならびに各層内の繊維の噛み合いを伴う、三次元（３Ｄ）形状に折られ得る。
【００３２】
本開示は、織物のオメガ形状補強材およびその製造方法のための、いくつかの事前形成コンセプトを確認する。一般的に、開示したオメガ形状補強材は、縦繊維および横繊維から成り、それらは、ウェブ部と足部との間の接合部にわたって連続した繊維を有する、従来技術の方法によって、平織りにされる。平織りにされた補強材は、必要に応じてオメガ形状断面を有するプリフォームに折られる。次にこのプリフォームは形付けられ、マトリックス材を詰められ／含侵されてよい。本開示は、平織りにされた状態（「織られた状態」）の補強材の構成を提供する。織られた状態は、３Ｄオメガ形状プリフォームに折ることによって形付けられ（「形付けられた状態」）、次にマトリックス材が詰められて、所望のオメガ形状補強材が得られる。
【００３３】
開示した構成は、複数の個々の層を有する従来のオメガ形状補強材に対して利点を有し得る。開示した構成は、ウェブ部と足部との間の接合部にわたって連続的な繊維を提供することによって、補強材の引き離し強さを向上させることができる。引き離し強さは、外表面から補強材を引き離すために要する力である。開示した技術は、多くの個々の層を、単一の複数層のプリフォームに取り替えることにより、必要な接触労働量も軽減させることができる。
【００３４】
さらに、平織りにされた織地を、織られた後で内部空間においてマンドレルの周りに形成する（形付ける）ことができる。内部空間に配設されたマンドレルは、後続の取り扱いを通して、補強材の内部空間の形状を維持する助けとなる。これは、詰められる／含侵時まで織地が補強材の形状を形成しないので、有利である。したがって織地を、より容易に取り扱うことができる。なぜなら、マンドレルが内部空間の形状を維持するので、最終的な所望のプリフォームの補強材形状を維持することを心配する必要がないからである。従来技術の設計は、織地が織られる間に、マンドレルの所望の形状の周りに織地を巻くことによって、補強材の形状を形成する。これは、詰める／含侵前において織地が形状を維持するよう、注意深い取り扱いが要求され、不利である。
【００３５】
開かれた内部空間、および閉じられた内部空間の両方で、オメガ形状補強材は、実質的に平坦または湾曲したプレートを補強するために、有用となり得る。閉じられた内部空間のオメガ形状補強材で、補強材の所望の長さが長くなるほど、開かれた内部空間構成と比較して、閉じられた内部空間にマンドレルを挿入することが、より困難となり得る。対照的に、補強材の長さが長くなるほどマンドレルの周りに簡単に巻くことができる、開かれた内部空間構成は、閉じられた構成の補強材よりも製作が容易である。したがって、長い補強材に対して、開かれた構成の補強材は、閉じられた内部空間の補強材よりも好適となり得る。
【００３６】
開かれた内部空間の補強材は、閉じられた内部空間の補強材よりも、より高い製造率に対しても、より良好に適応され得る。開かれた構成の補強材におけるフランジは、外表面上に位置され、マンドレルは単純にその頂部に配置される。次にウェブおよびキャップはマンドレルの周りに巻かれ、補強材が完成する。この構成は、キャップを作る２つの重複する層の間の空間をもたらすという、さらなる利点を有する。追加の層をこの空間の中に挿入して、必要に応じて剛性を増加させることができる。
【００３７】
補強材は、「ほぼネット形状に」織ることができる。これは、アイテムの最初の製作が、最終形またはネット形状に非常に似ている製造技術であり、そのため表面仕上げまたは別の仕上げの必要性を軽減させる。本開示に適用されたように、織地は、大きいサイズに織ってから不要な材料を切断するのではなく、ほぼ最終形状に織られてよく、かつ全てのエッジ部が安定するよう取り込み式シャトル織機で織られ得る。シャトル織機の使用は必要要件ではないが、レピア織機または針編み織機などの他の選択肢と比較すると、費用効率が高い選択であると考察され得る。使用する織機のタイプに関わらず、プリフォームは、補強材の長手方向は織機の縦方向となるよう織られる。すなわち、本説明の図は、繊維の横方向にわたる補強材の断面を示しており、補強材の長さは、紙面に入るよう延びる縦方向である。
【００３８】
全ての構成において、足、ウェブ、およびキャップの厚さは、異なる糸サイズおよび／または異なる縦糸間隙を使用することによって、独立して調整され得る。同様に、異なる噛み合いパターンをこれらのセクションの各々に使用して、異なる効果的な特性をもたらすことができる。サンプルの織地は、層から層の噛み合いパターンを使用して織られた。直交または角度を付けた噛み合いパターンなど、他の織りの選択肢も使用され得る。
【００３９】
図３Ａおよび図３Ｂは、本発明の一実施形態によるオメガ形状補強材の形成を示す。補強材は、織られた状態３００ａの形状に平織りにされる。織られた状態３００ａの形状は、キャップ部３０４、ウェブ部３０８ａ、３０８ｂ、足部３０６ａ、３０６ｂ、および内部ラップ部３１０を含み、それらは平織りにされ、閉じられた内部空間３１２を形成する。
【００４０】
図３Ａおよび図３Ｂに示された実施形態において、キャップ部３０４は、２つのキャップ領域３０４ａ、３０４ｂに分割され、織られた織地の分離層における屈折点Ａで互いに対して角度が付けられるよう、平織りにされる。同様に、内部ラップ部３１０は、２つの内部ラップ領域３１０ａ、３１０ｂに分割され、織られた織地の分離層における屈折点Ｂで互いに対して角度が付けられる。閉じられた内部空間３１２は、内部ラップ領域３１０ａ、３１０ｂとキャップ領域３０４ａ、３０４ｂとの間の角度関係を表すために、誇張して示されている。内部ラップ領域３１０ａ、３１０ｂは、同じ、または異なる長さであってよい。キャップ領域３０４ａ、３０４ｂは、同じ、または異なる長さであってよい。
【００４１】
補強材は単一片で平織りにされているため、横繊維は、少なくともウェブ部と足部との間の接合部にわたって、連続的となる。横繊維は、ウェブ部とキャップ部および／または内部ラップ部との間の接合部にわたっても連続的であってよい。
【００４２】
織られた状態３００ａの形状は、形付けられた状態３００のオメガ形状補強材を生成するために折られる。キャップ領域３０４ａ、３０４ｂは、互いに同一直線上となるよう展開され、キャップ部３０４を形成する。同様に、内部ラップ領域３１０ａ、３１０ｂは、互いに同一直線上となるよう展開され、内部ラップ部３１０を形成する。足部３０６ａ、３０６ｂは、内部ラップ部と実質的に同一直線上となるよう曲げることができる。このように、オメガ形状補強材は生成される。
【００４３】
キャップ部３０４は、内部ラップ部３１０よりも長さが短く、内部ラップ部３１０の上方で中心に置くことができ、それによって、ウェブ部３０８ａ、３０８ｂは、内部ラップ部に対して角度が付けられる。内部ラップ部とウェブ部との間の一般的な角度は、６０〜９０°の範囲である。脚部（足部）、内部ラップ部、ウェブ部、およびキャップ部自体のうちの任意または全ては、特定部分の厚さを変えるために、多層織地で織り合わせることができることを理解されたい。さらに、より多くの織り合わせた織地層を用いて、キャップ部３０４をウェブ部３０８ａ、３０８ｂよりも厚く、さらに、ウェブ部３０８ａ、３０８ｂを内部ラップ部３１０よりも厚くすることができる。
【００４４】
形付けられた状態のオメガ形状補強材３００の実施形態は、閉じられた内部空間３１２を有する。補強材の取り扱いを容易にするために、内部空間３１２の形状を有するマンドレル（図示せず）が、形付けられた状態３００のオメガ形状補強材の内部空間３１２の中に導入され得る。マンドレルは、取り扱い中および詰める／含侵する作業中に、補強材を所望のオメガ形状に維持する助けとなり得る。
【００４５】
図４Ａおよび図４Ｂは、本発明の別の実施形態によるオメガ形状補強材の形成を示す。補強材は、織られた状態４００ａの形状に平織りにされる。織られた状態の４００ａ形状は、キャップ部４０４、ウェブ部４０８ａ、４０８ｂ、足部４０６ａ、４０６ｂ、および内部ラップ部４１０を含み、それらは平織りにされ、閉じられた内部空間４１２を形成する。
【００４６】
図４Ａおよび図４Ｂに示された実施形態において、ウェブ部４０８ａが２つのウェブ領域４０８ａａ、４０８ａｂに分割され、織られた織地の分離層における屈折点Ｃで互いに対して角度が付けられるよう、ウェブ部４０８ａ、４０８ｂは平織りにされる。同様に、ウェブ部４０８ｂが、２つのウェブ領域４０８ｂａ、４０８ｂｂに分割され、織られた織地の分離層における屈折点Ｄで互いに対して角度が付けられるよう、ウェブ部４０８ａ、４０８ｂは平織りにされる。閉じられた内部空間４１２は、ウェブ領域４０８ａａ、４０８ａｂとウェブ領域４０８ｂａ、４０８ｂｂとの間の角度関係を表すために、誇張して示されている。
【００４７】
補強材は単一片で平織りにされるため、横繊維は、少なくともウェブ部と足部との間の接合部にわたって、連続的となる。横繊維は、ウェブ部とキャップ部および／または内部ラップ部との間の接合部にわたっても連続的であってよい。
【００４８】
織られた状態４００ａの形状は、形付けられた状態４００のオメガ形状補強材を生成するために折られる。ウェブ領域４０８ａａ、４０８ａｂは、互いに同一直線上となるよう展開され、ウェブ部４０８ａを形成する。同様に、ウェブ領域４０８ｂａ、４０８ｂｂは、互いに同一直線上となるよう展開され、ウェブ部４０８ｂを形成する。足部４０６ａ、４０６ｂおよびキャップ部４０４は、必要に応じて形成され（形付けられ）得る。このように、オメガ形状補強材は生成される。
【００４９】
キャップ部４０４は、内部ラップ部４１０よりも長さが短く、内部ラップ部３１０の上方で中心に置くことができ、それによって、ウェブ部４０８ａ、４０８ｂは、内部ラップ部に対して角度が付けられる。内部ラップ部とウェブ部との間の一般的な角度は、６０〜９０°の範囲である。脚部、内部ラップ部、ウェブ部、およびキャップ部自体のうちの任意のものまたは全ては、特定部分の厚さを変えるために、多層織地で織り合わせることができることを理解されたい。さらに、より多くの織り合わせた織地層を用いて、キャップ部４０４をウェブ部４０８ａ、４０８ｂよりも厚く、さらに、ウェブ部４０８ａ、４０８ｂを内部ラップ部４１０よりも厚くすることができる。
【００５０】
形付けられた状態のオメガ形状補強材４００のこの実施形態は、閉じられた内部空間４１２を有する。補強材の取り扱いを容易にするために、内部空間４１２の形状を有するマンドレル（図示せず）が、形付けられた状態４００のオメガ形状補強材の内部空間４１２の中に導入され得る。マンドレルは、取り扱い中および詰める作業中に、補強材を所望のオメガ形状に維持する助けとなり得る。
【００５１】
図５Ａおよび図５Ｂは、本発明の一実施形態によるオメガ形状補強材の形成を示す。補強材は、織られた状態５００ａの形状に平織りにされる。織られた状態５００ａの形状は、キャップ部５０４、ウェブ部５０８ａ、５０８ｂ、足部５０６ａ、５０６ｂ、および内部ラップ部５１０ａ、５１０ｂを含み、それらは平織りにされる。この実施形態において、内部ラップ部５１０ａ、５１０ｂは互いに隣接しない。むしろ、足部５０６ａおよび内部ラップ部５１０ａは、ウェブ部５０８ａに装着され、かつウェブ部５０８ａから延びる。同様に、足部５０６ｂおよび内部ラップ部５１０ｂは、ウェブ部５０８ｂに装着され、かつウェブ部５０８ｂから延びる。図５Ａにおいて、間隙５１６ａは、足部５０６ａが内部ラップ５１０ａと織り合わされていないことを示すために、誇張して示される。同様に、間隙５１６ｂは、足部５０６ｂが内部ラップ５１０ｂと織り合わされていないことを示すために、誇張して示される。
【００５２】
補強材は単一片で平織りにされているため、横繊維は、少なくともウェブ部と足部との間の接合部にわたって、連続的となる。横繊維は、ウェブ部とキャップ部および／または内部ラップ部との間の接合部にわたっても連続的であってよい。
【００５３】
織られた状態５００ａの形状は、形付けられた状態５００のオメガ形状補強材を生成するために折られる。内部ラップ領域５１０ａ、５１０ｂは、互いに実質的に同一直線上に折られる。足部５０６ａ、５０６ｂは、内部ラップ領域と実質的に同一直線上となるよう、折ることができる。内部ラップ領域の長さは、補強材がオメガ形状に折られ、開かれた内部空間５１２を作り出す場合に、間隙５１４が生成されるよう選択される。このように、オメガ形状補強材は生成される。
【００５４】
内部ラップ領域の長さおよび間隙は、所望の外形のオメガ形状補強材を形成するために選択される。キャップ部５０４は、内部ラップ領域５１０ａ、５１０ｂおよび間隙５１４の累積長さよりも長さが短く、それらの上方で中心に置くことができ、それによって、ウェブ部５０８ａ、５０８ｂは、内部ラップ部に対して角度が付けられる。内部ラップ部とウェブ部との間の一般的な角度は、６０〜９０°の範囲である。さらに、より多く織り合わされた織地層を用いて、キャップ部５０４をウェブ部５０８ａ、５０８ｂよりも厚く、さらに、ウェブ部５０８ａ、５０８ｂを内部ラップ部５１０よりも厚くすることができる。
【００５５】
形付けられた状態のオメガ形状補強材５００のこの実施形態は、開かれた内部空間５１２を有する。補強材の取り扱いを容易にするために、内部空間５１２の形状を有するマンドレル（図示せず）が、形付けられた状態５００のオメガ形状補強材の内部空間５１２の中に導入され得る。マンドレルは、取り扱い中および詰める作業中に、補強材を所望のオメガ形状に維持する助けとなり得る。
【００５６】
図６Ａおよび図６Ｂは、本発明の一実施形態によるオメガ形状補強材の形成を示す。補強材は、織られた状態６００ａの形状に平織りにされる。織られた状態６００ａの形状は、キャップ部６０４、ウェブ部６０８ａ、６０８ｂ、足部６０６ａ、６０６ｂ、および内部ラップ領域６１０ａ、６１０ｂを有する内部ラップ部を含み、それらは平織りにされる。
【００５７】
この実施形態において、内部ラップ領域６１０ａ、６１０ｂ、および足部６０６ａ、６０６ｂは、互いに隣接して織られ、平織りにされた補強材６００ａの第１の層を形成する。ウェブ部６０８ａ、６０８ｂは、互いに対して連続的に織られ、かつキャップ部６０４によって互いから離隔され、平織りにされた補強材６００ａの第２の層を形成する。第１および第２の層は、ウェブ部の端部が、それぞれ内部ラップ部と脚部との接合部６１６ａ、６１６ｂと接続する箇所に装着される。第１および第２の層は、それ以外では織り合わされない。
【００５８】
むしろ、足部６０６ａおよび内部ラップ領域６１０ａは、ウェブ部６０８ａに装着され、かつウェブ部６０８ａから延びる。同様に、足部６０６ｂおよび内部ラップ領域６１０ｂは、ウェブ部６０８ｂに装着され、かつウェブ部６０８ｂから延びる。
【００５９】
補強材は単一片で平織りにされているため、横繊維は、少なくともウェブ部と足部との間の接合部にわたって、連続的となる。横繊維は、ウェブ部とキャップ部および／または内部ラップ部との間の接合部にわたっても連続的であってよい。
【００６０】
織られた状態６００ａの形状は、形付けられた状態６００のオメガ形状補強材を生成するために折られる。内部ラップ領域６１０ａ、６１０ｂは、互いに実質的に同一直線上に折られる。足部６０６ａ、６０６ｂは、内部ラップ領域と実質的に同一直線上となるよう、折ることができる。間隙６１４は、内部ラップ部６１０から一片を切り取ることによって生成され、開かれた内部空間６１２を形成する。このように、オメガ形状補強材は生成される。
【００６１】
内部ラップ部および間隙の長さは、所望の外形のオメガ形状補強材を形成するために選択される。キャップ部６０４は、内部ラップ部６１０ａ、６１０ｂおよび間隙６１４の累積長さよりも長さが短く、それらの上方で中心に置くことができ、それによって、ウェブ部６０８ａ、６０８ｂは、内部ラップ部に対して角度が付けられる。内部ラップ部とウェブ部との間の一般的な角度は、６０〜９０°の範囲である。脚部、内部ラップ部、ウェブ部、およびキャップ部自体のうちの任意のものまたは全ては、特定部分の厚さを変えるために、多層織地で織り合わせることができることを理解されたい。さらに、より多く織り合わせた織地層を用いて、キャップ部６０４をウェブ部６０８ａ、６０８ｂよりも厚く、さらに、ウェブ部６０８ａ、６０８ｂを内部ラップ部６１０よりも厚くすることができる。
【００６２】
形付けられた状態のオメガ形状補強材６００の実施形態は、開かれた内部空間６１２を有する。補強材の取り扱いを容易にするために、内部空間６１２の形状を有するマンドレル（図示せず）が、形付けられた状態６００のオメガ形状補強材の内部空間６１２の中に導入され得る。マンドレルは、取り扱い中および詰める作業中に、補強材を所望のオメガ形状に維持する助けとなり得る。
【００６３】
図７Ａおよび図７Ｂは、本発明の別の実施形態によるオメガ形状補強材の形成を示す。補強材は、織られた状態７００ａの形状に平織りにされる。織られた状態７００ａの形状は、キャップ部７０４、ウェブ部７０８ａ、７０８ｂ、足部７０６ａ、７０６ｂ、および内部ラップ部７１０を含み、それらは平織りにされ、閉じられた内部空間７１２を形成する。
【００６４】
図７Ａおよび図７Ｂに示された実施形態において、キャップ部７０４は、２つのキャップ領域７０４ａ、７０４ｂを有するよう、平織りにされる。キャップ領域７０４ａ、７０４ｂの各々は、キャップ部７０４の所望の厚さ未満となるよう織られる。キャップ領域７０４ａ、７０４ｂは、それぞれのウェブ部７０８ａ、７０８ｂに織られるが、互いに離隔される。補強材は単一片で平織りにされているため、横繊維は、少なくともウェブ部と足部との間の接合部にわたって、連続的となる。横繊維は、ウェブ部とキャップ部および／または内部ラップ部との間の接合部にわたっても連続的であってよい。
【００６５】
織られた状態７００ａの形状は、形付けられた状態７００のオメガ形状補強材を生成するために折られる。ウェブ部７０８ａ、７０８ｂ、およびキャップ領域７０４ａ、７０４ｂは折られ、キャップ領域を互いに上下に置き、キャップ部７０４を形成する。キャップ領域７０４ａ、７０４ｂの厚さは結合して、所望の厚さを有するキャップをもたらす。キャップ領域は、任意の公知の方法により、互いに接触する箇所７１６で共に接合され得る。このように、オメガ形状補強材は生成される。
【００６６】
キャップ部７０４は、内部ラップ部７１０よりも長さが短く、内部ラップ部７１０の上方で中心に置くことができ、それによって、ウェブ部７０８ａ、７０８ｂは、内部ラップ部に対して角度が付けられる。内部ラップ部とウェブ部との間の一般的な角度は、６０〜９０°の範囲である。脚部、内部ラップ部、ウェブ部、およびキャップ部自体のうちの任意のものまたは全ては、特定部分の厚さを変えるために、多層織地で織り合わせることができることを理解されたい。さらに、より多くの織地層を用いて、キャップ部７０４をウェブ部７０８ａ、７０８ｂよりも厚く、さらに、ウェブ部７０８ａ、７０８ｂを内部ラップ部７１０よりも厚くすることができる。
【００６７】
形付けられた状態のオメガ形状補強材７００のこの実施形態は、閉じられた内部空間７１２を有する。補強材の取り扱いを容易にするために、内部空間７１２の形状を有するマンドレル（図示せず）が、形付けられた状態７００のオメガ形状補強材の内部空間７１２の中に導入され得る。マンドレルは、取り扱い中および詰める作業中に、補強材を所望のオメガ形状に維持する助けとなり得る。
【００６８】
オメガ形状補強材の任意の実施形態において、補強材にマトリックス材を詰めることができる。マトリックス材として、エポキシ、ビスマレイミド、ポリエルテル、ビニルエステル、セラミック、炭素、および他のこのような材料が挙げられる。
【００６９】
他の実施形態は、以下の特許請求の範囲内にある。
【図１】
2020537058.tif 000003
【図２】
2020537058.tif 000004
【図３Ａ】
2020537058.tif 000005
【図３Ｂ】
2020537058.tif 000006
【図４Ａ】
2020537058.tif 000007
【図４Ｂ】
2020537058.tif 000008
【図５Ａ】
2020537058.tif 000009
【図５Ｂ】
2020537058.tif 000010
【図６Ａ】
2020537058.tif 000011
【図６Ｂ】
2020537058.tif 000012
【図７Ａ】
2020537058.tif 000013
【図７Ｂ】
2020537058.tif 000014
【国際調査報告】
2020537058.tif 000015
2020537058.tif 000016